(57)【要約】【課題】ユーザが画像処理装置での処理によって知り得た情報を他のユーザと共有することを可能とする画像処理システム、画像処理装置、評価情報の表示方法、クライアント装置で使用されるプログラム、および画像処理装置で使用されるプログラムを提供する。【解決手段】クライアント装置としてのＰＣは、プリンタの評価情報を受け付けると、受け付けられた評価情報をプリンタに対して送信する。画像処理装置としてのプリンタは、ＰＣから送信された評価情報を受信し、受信された評価情報を記憶部に記憶する。また、プリンタは、ＰＣからの要求に応じて、記憶部に記憶されている評価情報を要求元のＰＣに対して送信する。評価情報の要求元のＰＣは、プリンタから送信された評価情報を受信すると、受信された評価情報を表示部に表示する。【選択図】図１
2005216245.tif 000002
【特許請求の範囲】
【請求項１】
クライアント装置と画像処理装置とを有する画像処理システムであって、
前記クライアント装置は、
前記画像処理装置の評価情報を受け付ける受付手段と、
受け付けられた評価情報を、前記画像処理装置に対して送信する送信手段と、
前記画像処理装置から送信された評価情報を受信する受信手段と、
受信された評価情報を表示する表示手段と、を有し、
前記画像処理装置は、
前記クライアント装置から送信された評価情報を受信する受信手段と、
受信された評価情報を記憶する記憶手段と、
前記記憶手段に記憶されている評価情報を、前記クライアント装置に対して送信する送信手段と、を有することを特徴とする画像処理システム。
【請求項２】
前記画像処理装置は、当該画像処理装置での処理の終了後に、処理終了通知を前記クライアント装置に対して送信することを特徴とする請求項１に記載の画像処理システム。
【請求項３】
前記クライアント装置は、前記画像処理装置での処理の終了後に、前記受付手段による評価情報の受け付けを促すことを特徴とする請求項１に記載の画像処理システム。
【請求項４】
クライアント装置と画像処理装置とを有する画像処理システムにおける前記画像処理装置であって、
前記クライアント装置から送信された前記画像処理装置の評価情報を受信する受信手段と、
受信された評価情報を記憶する記憶手段と、
前記記憶手段に記憶されている評価情報を、前記クライアント装置に対して送信する送信手段と、を有することを特徴とする画像処理装置。
【請求項５】
クライアント装置と画像処理装置とを有する画像処理システムにおいて使用される、評価情報の表示方法であって、
前記クライアント装置が、前記画像処理装置の評価情報を受け付けるステップ（ａ）と、
前記クライアント装置が、受け付けられた評価情報を、前記画像処理装置に対して送信するステップ（ｂ）と、
前記画像処理装置が、前記クライアント装置から送信された評価情報を受信するステップ（ｃ）と、
前記画像処理装置が、受信された評価情報を記憶手段に記憶するステップ（ｄ）と、
前記画像処理装置が、前記記憶手段に記憶されている評価情報を、前記クライアント装置に対して送信するステップ（ｅ）と、
前記クライアント装置が、前記画像処理装置から送信された評価情報を受信するステップ（ｆ）と、
前記クライアント装置が、受信された評価情報を表示するステップ（ｇ）と、
を有することを特徴とする評価情報の表示方法。
【請求項６】
クライアント装置と画像処理装置とを有する画像処理システムにおける前記クライアント装置で使用されるプログラムであって、
前記画像処理装置の評価情報を受け付ける手順（ａ）と、
受け付けられた評価情報を、前記画像処理装置に対して送信する手順（ｂ）と、
前記画像処理装置から送信された評価情報を受信する手順（ｃ）と、
受信された評価情報を表示する手順（ｄ）と、
を前記クライアント装置に実行させるためのプログラム。
【請求項７】
前記プログラムは、前記画像処理装置を制御するためのデバイスドライバに付随されていることを特徴とする請求項６に記載のプログラム。
【請求項８】
請求項７に記載のプログラムを記録したコンピュータ読み取り可能な記録媒体。
【請求項９】
クライアント装置と画像処理装置とを有する画像処理システムにおける前記画像処理装置で使用されるプログラムであって、
前記クライアント装置から送信された前記画像処理装置の評価情報を受信する手順（ａ）と、
受信された評価情報を記憶手段に記憶させる手順（ｂ）と、
前記記憶手段に記憶されている評価情報を、前記クライアント装置に対して送信する手順（ｃ）と、
を前記画像処理装置に実行させるためのプログラム。
【請求項１０】
請求項９に記載のプログラムを記録したコンピュータ読み取り可能な記録媒体。
【発明の詳細な説明】
【技術分野】
【０００１】
本発明は、画像処理システム、画像処理装置、評価情報の表示方法、クライアント装置で使用されるプログラム、および画像処理装置で使用されるプログラムに関する。
【背景技術】
【０００２】
パーソナルコンピュータ（以下、「ＰＣ」という）とプリンタとが接続された印刷システムにおいて、クライアント装置としてのＰＣは、画像処理装置としてのプリンタに印刷ジョブを送信して、プリンタで印刷させることができる。
【０００３】
かかる印刷システムにおいて、ＰＣが、Ｗｅｂブラウザあるいは専用のユーティリティソフトウェアを使用して、たとえば印刷待機中、印刷中、あるいはエラーなどのプリンタの状態情報を表示部に表示させる技術が提案されている（特許文献１参照）。
【特許文献１】特開２００３−４４２５４号公報
【発明の開示】
【発明が解決しようとする課題】
【０００４】
しかしながら、上記した従来の技術は、ＰＣのユーザがプリンタでの印刷によって知り得た情報、たとえば「肌色がきれいに再現される」などの複数のユーザ間で共有されるべきプリンタの情報をＰＣで表示させることができなかった。このため、ほとんどのユーザは、特定のプリンタを使用するだけで、たとえば印刷しようとする画像データに適したプリンタを選択するために必要な情報を得ることができなかった。
【０００５】
本発明は、上記した課題を解決するためになされたものであり、本発明の目的は、ユーザが画像処理装置での処理によって知り得た情報を他のユーザと共有することを可能とする画像処理システム、画像処理装置、評価情報の表示方法、クライアント装置で使用されるプログラム、および画像処理装置で使用されるプログラムを提供することである。
【課題を解決するための手段】
【０００６】
本発明の目的は、下記する手段により達成される。
【０００７】
（１）クライアント装置と画像処理装置とを有する画像処理システムであって、前記クライアント装置は、前記画像処理装置の評価情報を受け付ける受付手段と、受け付けられた評価情報を、前記画像処理装置に対して送信する送信手段と、前記画像処理装置から送信された評価情報を受信する受信手段と、受信された評価情報を表示する表示手段と、を有し、前記画像処理装置は、前記クライアント装置から送信された評価情報を受信する受信手段と、受信された評価情報を記憶する記憶手段と、前記記憶手段に記憶されている評価情報を、前記クライアント装置に対して送信する送信手段と、を有することを特徴とする画像処理システム。
【０００８】
（２）前記画像処理装置は、当該画像処理装置での処理の終了後に、処理終了通知を前記クライアント装置に対して送信することを特徴とする上記（１）に記載の画像処理システム。
【０００９】
（３）前記クライアント装置は、前記画像処理装置での処理の終了後に、前記受付手段による評価情報の受け付けを促すことを特徴とする上記（１）に記載の画像処理システム。
【００１０】
（４）クライアント装置と画像処理装置とを有する画像処理システムにおける前記画像処理装置であって、前記クライアント装置から送信された前記画像処理装置の評価情報を受信する受信手段と、受信された評価情報を記憶する記憶手段と、前記記憶手段に記憶されている評価情報を、前記クライアント装置に対して送信する送信手段と、を有することを特徴とする画像処理装置。
【００１１】
（５）クライアント装置と画像処理装置とを有する画像処理システムにおいて使用される、評価情報の表示方法であって、前記クライアント装置が、前記画像処理装置の評価情報を受け付けるステップ（ａ）と、前記クライアント装置が、受け付けられた評価情報を、前記画像処理装置に対して送信するステップ（ｂ）と、前記画像処理装置が、前記クライアント装置から送信された評価情報を受信するステップ（ｃ）と、前記画像処理装置が、受信された評価情報を記憶手段に記憶するステップ（ｄ）と、前記画像処理装置が、前記記憶手段に記憶されている評価情報を、前記クライアント装置に対して送信するステップ（ｅ）と、前記クライアント装置が、前記画像処理装置から送信された評価情報を受信するステップ（ｆ）と、前記クライアント装置が、受信された評価情報を表示するステップ（ｇ）と、を有することを特徴とする評価情報の表示方法。
【００１２】
（６）クライアント装置と画像処理装置とを有する画像処理システムにおける前記クライアント装置で使用されるプログラムであって、前記画像処理装置の評価情報を受け付ける手順（ａ）と、受け付けられた評価情報を、前記画像処理装置に対して送信する手順（ｂ）と、前記画像処理装置から送信された評価情報を受信する手順（ｃ）と、受信された評価情報を表示する手順（ｄ）と、を前記クライアント装置に実行させるためのプログラム。
【００１３】
（７）前記プログラムは、前記画像処理装置を制御するためのデバイスドライバに付随されていることを特徴とする上記（６）に記載のプログラム。
【００１４】
（８）上記（７）に記載のプログラムを記録したコンピュータ読み取り可能な記録媒体。
【００１５】
（９）クライアント装置と画像処理装置とを有する画像処理システムにおける前記画像処理装置で使用されるプログラムであって、前記クライアント装置から送信された前記画像処理装置の評価情報を受信する手順（ａ）と、受信された評価情報を記憶手段に記憶させる手順（ｂ）と、前記記憶手段に記憶されている評価情報を、前記クライアント装置に対して送信する手順（ｃ）と、を前記画像処理装置に実行させるためのプログラム。
【００１６】
（１０）上記（９）に記載のプログラムを記録したコンピュータ読み取り可能な記録媒体。
【発明の効果】
【００１７】
本発明によれば、クライアント装置のユーザが画像処理装置での処理によって知り得た情報をＰＣで表示させることが可能となり、したがって、かかる画像処理装置の評価情報を他のユーザと共有することが可能となる。この結果、ユーザは、処理しようとする画像データに適した画像処理装置を選択するために必要な情報を容易に得ることができる。
【発明を実施するための最良の形態】
【００１８】
以下、本発明の実施の形態を、図面を参照して詳細に説明する。
【００１９】
図１は、本発明の画像処理システムの一実施形態に係る印刷システムの構成を示すブロック図である。
【００２０】
図１に示すように、印刷システムは、クライアント装置としてのＰＣ１００Ａ，１００Ｂと、画像処理装置としてのプリンタ２００とを備え、これらはネットワーク３００を介して相互に通信可能に接続されている。ネットワーク３００は、イーサネット（登録商標）、トークンリング、ＦＤＤＩ等の規格によるＬＡＮや、ＬＡＮ同士を専用線で接続したＷＡＮ等からなる。
【００２１】
なお、ネットワークに接続される機器の種類および台数は、図１に示す例に限定されない。また、本発明は、ネットワーク３００上のＰＣ１００（ＰＣ１００Ａ，１００Ｂの総称）が図示しないサーバを介してプリンタ２００と接続されているシステムにも適用可能である。また、プリンタ２００は、図１に示すように単独でネットワーク３００に接続されていてもよく、あるいは、ネットワーク３００に接続されたプリンタ２００に対してさらにローカルに接続されていてもよい。また、本発明は、ＰＣ１００がプリンタ２００と１対１でローカルに接続されているシステムにも適用可能である。機器間で１対１に通信するためのインタフェースは、たとえばＵＳＢ、ＩＥＥＥ１３９４、ＲＳ−２３２Ｃ等のシリアルインタフェースによるもの、ＩＥＥＥ１２８４等のパラレルインタフェースによるもの、Ｂｌｕｅｔｏｏｔｈ（登録商標）、ＩＥＥＥ８０２.１１、ＩｒＤＡ等の無線通信規格によるものの他、独自の規格によるものであってもよい。
【００２２】
図２は、図１に示されるＰＣの構成を示すブロック図である。図２に示すように、ＰＣ１００は、装置全体の制御および各種演算処理を行うＣＰＵ１０１、プログラムやデータを格納するためのＲＯＭ１０２、作業領域として一時的にプログラムやデータを記憶するためのＲＡＭ１０３、各種のプログラムやデータを保存するための外部記憶装置としてのハードディスク１０４、各種情報の表示のための液晶ディスプレイなどの表示部１０５、各種指示の入力のためのキーボードやマウスなどの入力部１０６、およびネットワーク３００に接続するためのＬＡＮカードなどのネットワークインタフェース１０７を含み、これらは信号を遣り取りするためのバス１０８を介して相互に接続されている。
【００２３】
ＰＣ１００のハードディスク１０４には、プリンタ２００を制御するためのプリンタドライバがインストールされている。ＰＣ１００は、所定のアプリケーションにより作成されたデータから印刷ジョブを作成して、プリンタ２００に送信する機能を有する。
【００２４】
図３は、図１に示されるプリンタの構成を示すブロック図である。図３に示すように、プリンタ２００は、ＣＰＵ２０１、ＲＯＭ２０２、ＲＡＭ２０３、操作パネル部２０４、印刷部２０５、およびネットワークインタフェース２０６を含み、これらは信号を遣り取りするためのバス２０７を介して相互に接続されている。なお、プリンタ２００の構成要素のうち、ＰＣ１００の構成要素と同様の機能を有する部分についての重複する説明を省略する。
【００２５】
ＲＡＭ２０３は、ＰＣ１００から受信したデータを一時的に記憶できる。なお、プリンタ２００は、各種のプログラムやデータを保存するための外部記憶装置としてのハードディスクを有していてもよい。操作パネル部２０４は、各種情報の表示および各種指示の入力に使用される。印刷部２０５は、電子写真式プロセス等の周知の作像プロセスを用いて、画像データを用紙などの記録材上に印刷する。
【００２６】
ＰＣ１００、およびプリンタ２００は、上述した構成要素以外の構成要素を含んでいてもよく、あるいは、上述した構成要素のうちの一部が含まれていなくてもよい。
【００２７】
次に、図４および図５を参照して、ＰＣ１００で行われる印刷終了通知の受信処理について説明する。すなわち、ＰＣ１００が送信した印刷ジョブに基づいてプリンタ２００での印刷が終了した後に、ＰＣ１００がプリンタ２００から印刷終了通知を受信したときの処理について説明する。なお、図４のフローチャートにより示されるアルゴリズムは、ＰＣ１００のハードディスク１０４などの記憶部にプログラムとして記憶されており、ＣＰＵ１０１により実行される。
【００２８】
図４に示すように、まず、ＰＣ１００は、プリンタ２００から印刷終了通知を受信するまで待機する（Ｓ１０１でＮＯ）。
【００２９】
プリンタ２００から印刷終了通知を受信した場合（Ｓ１０１でＹＥＳ）、ＰＣ１００は、表示部１０５上に、印刷終了メッセージ画面を表示する（Ｓ１０２）。この印刷終了通知には、送信元のプリンタのＩＰアドレス、またはプリンタの接続ポート（ローカルポート）名が含まれる。
【００３０】
図５は、印刷終了メッセージ画面の一例を示す図である。図５に示す印刷終了メッセージ画面５００は、プリンタの評価情報を入力するための文字列入力域５０１を有している。プリンタの評価情報とは、ユーザがプリンタでの印刷によって知り得た当該プリンタの特徴などの評価に関する情報、つまり複数のユーザ間で共有されるべきプリンタの情報である。ユーザは、ＰＣ１００の入力部１０６のキーボード等を使用して、文字列入力域５０１に、評価情報として任意の文字列を入力することができる。
【００３１】
続いて、評価情報の入力が行われたか否かが判断される（Ｓ１０３）。評価情報の入力が行われていない場合（Ｓ１０３でＮＯ）、ステップＳ１０６に進む。
【００３２】
評価情報の入力が行われた場合（Ｓ１０３でＹＥＳ）、図５に示すように、たとえば「肌色がきれいに出るので、ポートレイト向きだよ。」などの入力された文字列が文字列入力域５０１に表示される（Ｓ１０４）。また、入力された文字列は、ＲＡＭ１０３に記憶される。
【００３３】
ステップＳ１０５では、ＯＫボタン５０２（図５参照）が押下（クリック）されたか否かが判断される。ＯＫボタン５０２が押下されていない場合（Ｓ１０５でＮＯ）、ステップＳ１０３に戻る
ＯＫボタン５０２が押下された場合（Ｓ１０５でＹＥＳ）、印刷終了通知メッセージ画面が閉じられる（Ｓ１０６）。
【００３４】
続いて、最終的にＯＫボタン５０２が押下された時点で、評価情報が印刷終了通知メッセージ画面の文字列入力域５０１に入力されてＲＡＭ１０３に記憶されているか否か、つまりプリンタの評価情報の受け付けが行われたか否かが判断される（Ｓ１０７）。評価情報の受け付けが行われなかった場合（Ｓ１０７でＮＯ）、図４に示す処理の実行が直ちに終了される。
【００３５】
一方、評価情報の受け付けが行われた場合（Ｓ１０７でＹＥＳ）、ＰＣ１００は、受け付けられた評価情報をプリンタ２００に対して送信してから（Ｓ１０８）、図４に示す処理の実行を終了する。
【００３６】
次に、図６および図７を参照して、ＰＣ１００で行われる評価情報の表示処理について説明する。なお、図６のフローチャートにより示されるアルゴリズムは、ＰＣ１００のハードディスク１０４などの記憶部にプログラムとして記憶されており、ＣＰＵ１０１により実行される。
【００３７】
まず、ＰＣ１００において所定のアプリケーションの図示しない印刷ダイアログ中のプロパティボタンが押下（クリック）されると、ＰＣ１００は、プリンタドライバを起動する。プリンタドライバが起動されると、プロパティ画面が表示部１０５に表示される（Ｓ２０１）。
【００３８】
続いて、ＰＣ１００は、印刷ジョブの送信先に設定されているたとえばプリンタ２００に対して、評価情報の送信要求を送る（Ｓ２０２）。このとき、送信要求には、要求元として、ＰＣ１００のＩＰアドレス、あるいはプリンタに接続するポート（ローカルポート）名が含められる。
【００３９】
具体的には、ＴＣＰ／ＩＰポートを使った通信により、プリンタドライバの出力ポートとして設定されたプリンタのＩＰアドレスに対して、要求コマンドが送信される。ただし、プリンタドライバの出力ポートがＩＥＥＥ１２８４あるいはＩＥＥＥ１３９４などのローカル接続のためのポート、すなわちローカルポートになっている場合、当該ローカルポートに対して、要求コマンドが送信される。
【００４０】
ステップＳ２０３では、送信要求を受信したプリンタから、評価情報が返信されてきたか否かが判断される（Ｓ２０３）。
【００４１】
送信要求を受信したたとえばプリンタ２００から、評価情報が返信されてきた場合（Ｓ２０３でＹＥＳ）、受信した評価情報が表示部１０５に表示されて（Ｓ２０４）、ステップＳ２０６に進む。
【００４２】
図７は、プリンタドライバのプロパティ画面の一例を示す図である。プロパティ画面６００は、プリンタの評価情報を表示するための表示域６０１を有している。図７のプロパティ画面６００は、図５に示す「肌色がきれいに出るので、ポートレイト向きだよ。」という評価情報がプリンタ２００に送信された後に、ＰＣ上でプリンタドライバのプロパティ画面が表示された場合の例である。図７のプロパティ画面が表示されるＰＣは、図５に示す評価情報の送信を行ったＰＣとは異なるＰＣであってもよく、あるいは図５に示す評価情報の送信を行ったＰＣと同じＰＣであってもよい。
【００４３】
評価情報が返信されてこない場合（Ｓ２０３でＮＯ）、所定の時間が経過したか否かが判断される（Ｓ２０５）。所定の時間が経過していない場合（Ｓ２０５でＮＯ）、ステップＳ２０３に戻り、所定の時間が経過（タイムアウト）した場合（Ｓ２０５でＹＥＳ）、ステップＳ２０６に進む。つまり、評価情報が返信されずタイムアウトした場合には、評価情報の表示は行われない。
【００４４】
ステップＳ２０６では、ＰＣ１００は、ＯＫボタン６０２（図７参照）が押下（クリック）されるまで待機する（Ｓ２０６でＮＯ）。ＯＫボタン６０２が押下された場合（Ｓ２０６でＹＥＳ）、プリンタドライバのプロパティ画面が閉じられる（Ｓ２０７）。なお、キャンセルボタンの押下などの他の操作があった場合にもプロパティ画面は閉じられる。
【００４５】
この後、アプリケーションの印刷ダイアログにおけるＯＫボタンが押下されると、送信先に設定されているプリンタ２００に対して、印刷ジョブが送信される。印刷ジョブは、印刷条件を含むヘッダ部と、処理対象となる印刷データを含む本体部とを有している。当該印刷ジョブに基づいてプリンタ２００での印刷が終了すると、当該印刷ジョブの送信元のＰＣは、プリンタ２００から印刷終了通知を受信し、印刷終了メッセージ画面を表示部１０５に表示する。このとき、ユーザは、入力部１０６を使用して、印刷終了メッセージ画面５００文字列入力域５０１に、評価情報として、たとえば図８に示すような「本当だねぇ〜」などの任意の文字列を入力することができる。
【００４６】
図９は、プリンタドライバのプロパティ画面の他の例を示す図である。図９のプロパティ画面６００は、図８に示す「本当だねぇ〜」という評価情報がプリンタ２００に送信された後に、ＰＣ上でプリンタドライバのプロパティ画面が表示された場合の例である。図９のプロパティ画面が表示されるＰＣもまた、図５または図８に示す評価情報の送信を行ったＰＣとは異なるＰＣであってもよく、あるいは図５または図８に示す評価情報の送信を行ったＰＣと同じＰＣであってもよい。
【００４７】
次に、図１０および図１１を参照して、プリンタ２００で行われる処理について説明する。なお、図１０のフローチャートにより示されるアルゴリズムは、プリンタ２００のＲＯＭ２０２などの記憶部にプログラムとして記憶されており、ＣＰＵ２０１により実行される。
【００４８】
図１０に示すように、まず、プリンタ２００は、たとえばＰＣ１００から、評価情報を受信したか否かを判断する（Ｓ３０１）。評価情報を受信していない場合（Ｓ３０１でＮＯ）、ステップＳ３０４に進む。
【００４９】
一方、評価情報を受信した場合（Ｓ３０１でＹＥＳ）、プリンタ２００は、受信した評価情報を含むデータの中から、評価情報それ自体を抽出して取得する（Ｓ３０２）。取得された評価情報は、不揮発性メモリまたはハードディスクなどの記憶部に書き込まれて記憶される（Ｓ３０３）。
【００５０】
ステップＳ３０４では、たとえばＰＣ１００から、評価情報の送信要求を受信したか否かが判断される。評価情報の送信要求を受信していない場合（Ｓ３０４でＮＯ）、ステップＳ３０７に進む。
【００５１】
一方、評価情報の送信要求を受信した場合（Ｓ３０４でＹＥＳ）、プリンタ２００は、記憶部にすでに記憶されている評価情報を、当該記憶部から読み出して取得する（Ｓ３０５）。続いて、プリンタ２００は、取得された評価情報を、要求元のＰＣ１００に対して送信する（Ｓ３０６）。このとき、評価情報の送信先は、送信要求に含まれるＩＰアドレスあるいはローカルポートに設定される。
【００５２】
ステップＳ３０７では、たとえばＲＡＭ２０３などの所定領域に設けられたプリントキューに未だ処理されていない印刷ジョブが存在しているか否かが判断される（Ｓ３０７）。プリントキューに印刷ジョブが存在していない場合（Ｓ３０７でＮＯ）、ステップＳ３１１に進む。
【００５３】
プリントキューに印刷ジョブが存在している場合（Ｓ３０７でＹＥＳ）、プリンタ２００は、所定の印刷ジョブに基づいて印刷処理を行う（Ｓ３０８）。すなわち、プリンタ２００は、印刷ジョブに含まれる印刷データをラスタライズした後、印刷部２０５に出力して印刷する。
【００５４】
続いて、印刷が終了するまで待機する（Ｓ３０９でＮＯ）。印刷が終了すると（Ｓ３０９でＹＥＳ）、プリンタ２００は、処理された印刷ジョブの送信元に対して、印刷終了通知を送信する（Ｓ３１０）。ここで、処理された印刷ジョブの送信元は、プリントキューに投入された印刷ジョブのログ情報から取得される。図１１は、プリントキューに投入された印刷ジョブのログ情報の一例を示す図である。つまり、印刷終了通知は、ログ情報における処理された印刷ジョブに対応した送信元ＩＰアドレスあるいはローカルポートに対して送信される。
【００５５】
ステップＳ３１１では、プリンタ２００の電源がオン（ＯＮ）であるか否かが判断される。電源がＯＮの場合（Ｓ３１１でＹＥＳ）、ステップＳ３０１に戻り、電源がＯＦＦになった場合（Ｓ３１１でＮＯ）、図１０の処理の実行は終了される。
【００５６】
このように本実施形態によれば、ＰＣは、プリンタの評価情報を受け付けると、受け付けられた評価情報をプリンタに対して送信する。プリンタは、ＰＣから送信された評価情報を受信し、受信された評価情報を記憶部に記憶する。また、プリンタは、ＰＣからの要求に応じて、記憶部に記憶されている評価情報を要求元のＰＣに対して送信する。評価情報の要求元のＰＣは、プリンタから送信された評価情報を受信すると、受信された評価情報を表示部に表示する。
【００５７】
これにより、ＰＣのユーザがプリンタでの印刷によって知り得た情報をＰＣで表示させることが可能となり、したがって、かかるプリンタの評価情報を他のユーザと共有することが可能となる。この結果、ユーザは、印刷しようとする画像データに適したプリンタを選択するために必要な情報を容易に得ることができる。
【００５８】
また、印刷時に使用されるプリンタドライバの起動時に、評価情報をＰＣで表示させることができるので、ユーザは新たにソフトウェアを起動せずとも容易に評価情報を参照することが可能となる。
【００５９】
本発明は、上記した実施形態のみに限定されるものではなく、特許請求の範囲内において、種々改変することができる。
【００６０】
たとえば、上記実施形態では、画像処理装置としてプリンタを例示して説明したが、本発明はこれに限定されるものではない。本発明は、たとえば複写機、ＭＦＰ（Ｍｕｌｔｉ−Ｆｕｎｃｔｉｏｎ  Ｐｅｒｉｐｈｅｒａｌ）、およびファクシミリ装置などの他の画像処理装置にも適用可能である。
【００６１】
また、評価情報の表示処理は、本実施形態のようにプリンタドライバの起動時に実行されるのが好ましいが、プリンタドライバとは異なる別のソフトウェアの起動時に実行されることも可能である。
【００６２】
本発明による画像処理システムにおける各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、装置の一機能としてその装置のソフトウェア（たとえばプリンタドライバ）に組み込まれてもよい。
【図面の簡単な説明】
【００６３】
【図１】本発明の画像処理システムの一実施形態に係る印刷システムの構成を示すブロック図である。
【図２】図１に示されるＰＣの構成を示すブロック図である。
【図３】図１に示されるプリンタの構成を示すブロック図である。
【図４】ＰＣで行われる印刷終了通知の受信処理の手順を示すフローチャートである。
【図５】印刷終了メッセージ画面の一例を示す図である。
【図６】ＰＣで行われる評価情報の表示処理の手順を示すフローチャートである。
【図７】プリンタドライバのプロパティ画面の一例を示す図である。
【図８】印刷終了メッセージ画面の他の例を示す図である。
【図９】プリンタドライバのプロパティ画面の他の例を示す図である。
【図１０】プリンタで行われる処理の手順を示すフローチャートである。
【図１１】プリントキューに投入された印刷ジョブのログ情報の一例を示す図である。
【符号の説明】
【００６４】
１００（１００Ａ，１００Ｂ）    ＰＣ、
１０１，２０１    ＣＰＵ、
１０２，２０２    ＲＯＭ、
１０３，２０３    ＲＡＭ、
１０４    ハードディスク、
１０５    表示部、
１０６    入力部、
１０７，２０６    ネットワークインタフェース、
１０８，２０７    バス、
２００    プリンタ、
２０４    操作パネル部、
２０５    印刷部、
３００    ネットワーク、
５００    印刷終了メッセージ画面、
５０１    文字列入力域、
６００    プロパティ画面、
６０１    評価情報の表示域。
【図１】
2005216245.tif 000003
【図２】
2005216245.tif 000004
【図３】
2005216245.tif 000005
【図４】
2005216245.tif 000006
【図５】
2005216245.tif 000007
【図６】
2005216245.tif 000008
【図７】
2005216245.tif 000009
【図８】
2005216245.tif 000010
【図９】
2005216245.tif 000011
【図１０】
2005216245.tif 000012
【図１１】
2005216245.tif 000013